(57)【要約】【課題】タッチパネル式文字入力法あるいはそのコントロールモジュールを提供する。【解決手段】  主に一種のタッチパネル式文字入力法で、コントロールモジュールにより物体が手書きボード上において生じる移動軌跡を識別し、後続の入力機能の使用に提供し、異なる方向の複数の移動方向と移動距離を組合せ、コントロールモジュール中において比較用のパラメーター資料集を定義し、物体と手書きボードが相互に接触する時、手書きボード上の第一回接触位置を探知し、スタート位置と設定し、手書きボード上における移動軌跡が有効か否かを判断し、有効なら移動軌跡を少なくとも一つの移動方向と移動距離に分解し、無効なら無効の移動軌跡をろ過し、得られた移動方向と移動距離を組合せ、組合せ後の移動方向と移動距離を分析し、それとコントロールモジュール中に定義するパラメーター資料集を相互に比較し、符合するなら比較結果を出力する。【選択図】  図６
2005322194.tif 000002
【特許請求の範囲】
【請求項１】
主に一種のタッチパネル式文字入力法で、コントロールモジュールにより物体が手書きボード上において生じる移動軌跡を探知し、異なる移動軌跡により組合せ生じるコントロール信号をサーバーに後続の入力機能に使用するために提供し、該タッチパネル式文字入力法は以下のステップを含み、
A)異なる方向の複数の移動方向と移動距離を組合せ、該コントロールモジュール中において比較に用いることができるパラメーター資料集を定義し、
B)該物体と該手書きボードが相互に接触する時、該手書きボードにおける第一回接触点位置を探知し、それをスタート位置として設定し、
C)該手書きボード上において生じる移動軌跡が有効か否かを判断し、もし有効であるなら該移動軌跡を少なくとも一つの移動方向と移動距離に分解し、もし有効でないなら無効の該移動軌跡をろ過し、
D)ステップC)で得られた移動方向と移動距離を組合せ、該物体と該手書きボードが相互に接触しない状態で一定の時間が経過後にステップE)に進み、
E)組合せ後の該移動方向と移動距離を分析し、それと該コントロールモジュール中に定義する該パラメーター資料集を相互に比較し、もし符合するなら、比較結果を該サーバーに出力することを特徴とするタッチパネル式文字入力法あるいはそのコントロールモジュール。
【請求項２】
前記ステップC)において前記手書きボード上において有効の前記移動軌跡が生じる方法であるか否かを判断し、前記スタート位置を中心とし、その外周角度が一定範囲内において生じる移動である時に始めて有効動作であると見なすことを特徴とする請求項１記載のタッチパネル式文字入力法あるいはそのコントロールモジュール。
【請求項３】
前記角度は15度から60度の任一の角度であることを特徴とする請求項２記載のタッチパネル式文字入力法あるいはそのコントロールモジュール。
【請求項４】
前記ステップC)において、前記物体が前記手書きボードにおいて移動する位置移動距離を探知し、もし予定の距離を超過したと判断するなら有効動作と見なすことを特徴とする請求項２記載のタッチパネル式文字入力法あるいはそのコントロールモジュール。
【請求項５】
前記ステップA)において、前記パラメーター資料集に定義する異なる方向の移動方向と移動距離は縦方向、横方向或いは斜め方向の任一の方向であることを特徴とする請求項１記載のタッチパネル式文字入力法あるいはそのコントロールモジュール。
【請求項６】
主に一種コントロールモジュールで、手書きボード及びサーバーに電気的に接続し、物体の該手書きボード上における移動時に生じる異なる移動軌跡の識別に用い、異なる移動軌跡が組合せ生じるコントロール信号を該サーバーに後続の手書き入力機能に使用するために提供し、該コントロールモジュールは座標プロセッサユニット、記憶ユニット、演算ユニット、伝送インターフェースを含み、
該座標プロセッサユニットは該手書きボードに電気的に接続し、該手書きボード上の移動軌跡を受信し、相互に対応する座標パラメーターに転換し、
該記憶ユニットは内部に予め比較に用いるパラメーター資料集を具え、
該演算ユニットは該座標プロセッサユニット及び該記憶ユニットに電気的に接続し、該手書きボードにおける第一回接触点位置をスタート位置として設定し、該移動軌跡のスタート位置に異なる移動方向の各移動方向と移動距離を対応させ判断準則とし、該座標プロセッサユニットが受信した該座標パラメーターを移動方向と移動距離に分解し、これを組合せ、該パラメーター資料集に保存するパラメーターと相互に比較し、符合する文字が対応するコントロール信号を出力し、
該伝送インターフェースは該サーバー及び該演算ユニットに電気的に接続し、該演算ユニットが生じるコントロール信号を該サーバーに伝送することを特徴とするタッチパネル式文字入力法あるいはそのコントロールモジュール。
【請求項７】
前記パラメーター資料集が定義する異なる方向の移動方向と移動距離は縦方向、横方向或いは斜め方向の任一の方向であることを特徴とする請求項６載のタッチパネル式文字入力法あるいはそのコントロールモジュール。
【発明の詳細な説明】
【技術分野】
【０００１】
本発明は一種のタッチパネル式文字入力法及びそのコントロールモジュールに関する。特に一種のスタート位置及び移動方向により定義する移動軌跡の組合せを文字入力機能として使用するタッチパネル式文字入力法あるいはそのコントロールモジュールに係る。
【背景技術】
【０００２】
公知のタッチパネルは接触点を探知する物理原理に基づき、およそコンデンサ式、電気抵抗式、電磁式、圧力式、インダクタンス式、弾性表面波(SAW)式、超音波式、光学式などを含む。一般によく見られるものは、電気抵抗式、コンデンサ式のもので、それらは主にノートPC、タブレットPC、PDAなどの民生用電子製品に応用されている。その使用方式はスタイラス或いは手指をタッチパネル上で移動させ、文字を手書き、或いはマウスのようにクリック機能を遂行するものである。
タッチパネルボードの入力法には、相對位置間の距離によりマウスカーソルの移動の相対座標(relative coordinate)をコントロールする方式、或いは使用者に絵を描く、手書き入力機能を提供する絶対座標(absolute coordinate)方式の入力方法がある。手書き入力機能の識別には、米国特許第4,284,975号が示す、手書き文字点と参考文字点の座標の差異を計算し識別を行う方式がある。該方式は主に点と点の間の距離の予想値を計算する方式による。該差異の求め方は主に手書きの移動軌跡に対して、その座標の相對位置移動距離により演算を行い、それは点と点の間の距離の予想値を計算する方式により演算するため、処理が非常に複雑である。
【発明の開示】
【発明が解決しようとする課題】
【０００３】
公知構造には以下の欠点があった。
公知の手書き文字点と参考文字点の座標の差異を計算し識別を行う方式は主に点と点の間の距離の予想値を計算する方式により、該差異の求め方は主に手書きの移動軌跡に対して、その座標の相對位置移動距離により演算を行うが、それは点と点の間の距離の予想値を計算する方式により演算するため、処理が非常に複雑である。
本発明は上記構造の問題点を解決したタッチパネル式文字入力法あるいはそのコントロールモジュールを提供するものである。
【課題を解決するための手段】
【０００４】
上記課題を解決するため、本発明は下記のタッチパネル式文字入力法あるいはそのコントロールモジュールを提供する。
それは主に処理が簡単で、スタート位置及び移動方向により移動軌跡を定義することにより、公知の入力法の処理上の演算が非常に複雑であるという欠点を改善するタッチパネル式文字入力法あるいはそのコントロールモジュールで、
主に本発明のタッチパネル式文字入力法はコントロールモジュールにより物体が手書きボード上において生じる移動軌跡を探知し、異なる移動軌跡により組合せ生じるコントロール信号をサーバーに後続の入力機能に使用するために提供し、該タッチパネル式文字入力法は以下のステップを含み、
異なる方向の複数の移動方向と移動距離を組合せ、該コントロールモジュール中において比較に用いることができるパラメーター資料集を定義し、
該物体と該手書きボードが相互に接触する時、該手書きボードにおける第一回接触点位置を探知し、それをスタート位置として設定し、
該手書きボード上において生じる移動軌跡が有効か否かを判断し、もし有効であるなら該移動軌跡を少なくとも一つの移動方向と移動距離に分解し、もし有効でないなら無効の該移動軌跡をろ過し、
上記で得られた移動方向と移動距離を組合せ、該物体と該手書きボードが相互に接触しない状態で一定の時間が経過後に次に進み、
組合せ後の該移動方向と移動距離を分析し、それと該コントロールモジュール中に定義する該パラメーター資料集を相互に比較し、もし符合するなら、比較結果を該サーバーに出力し、
本発明のコントロールモジュールは手書きボード及びサーバーに電気的に接続し、物体の該手書きボード上における移動時に生じる異なる移動軌跡の識別に用い、異なる移動軌跡が組合せ生じるコントロール信号を該サーバーに後続の手書き入力機能に使用するために提供し、該コントロールモジュールは座標プロセッサユニット、記憶ユニット、演算ユニット、伝送インターフェースを含み、
該座標プロセッサユニットは該手書きボードに電気的に接続し、該手書きボード上の移動軌跡を受信し、相互に対応する座標パラメーターに転換し、
該記憶ユニットは内部に予め比較に用いるパラメーター資料集を具え、
該演算ユニットは該座標プロセッサユニット及び該記憶ユニットに電気的に接続し、該手書きボードにおける第一回接触点位置をスタート位置として設定し、該移動軌跡のスタート位置に異なる移動方向の各移動方向と移動距離を対応させ判断準則とし、該座標プロセッサユニットが受信した該座標パラメーターを移動方向と移動距離に分解し、これを組合せ、該パラメーター資料集に保存するパラメーターと相互に比較し、符合する文字が対応するコントロール信号を出力し、
該伝送インターフェースは該サーバー及び該演算ユニットに電気的に接続し、該演算ユニットが生じるコントロール信号を該サーバーに伝送することを特徴とするタッチパネル式文字入力法あるいはそのコントロールモジュールである。
【発明の効果】
【０００５】
上記のように、本発明タッチパネル式文字入力法は主に本発明のコントロールモジュールにより手書きボードにおける第一回接触点の位置をスタート位置P1と設定し、座標プロセッサユニットが受信した座標パラメーターを移動方向と移動距離に転換し、無効の移動軌跡をろ過後、該スタート位置P1に有効の移動方向と移動距離を対応させ判断の準則とし、さらに、パラメーター資料集中を予め保存した該記憶ユニット62と各移動方向と移動距離を組合せた文字パラメーターを相互に比較する。最後に該ジェスチャーが対応するコントロール信号601を出力する。このため、本発明はこれまでの文字点と参考点の座標の差異を計算し相互に比較する方式ではなく、本発明のタッチパネル式文字入力法はスタート位置及び移動方向により移動軌跡を定義するため、処理の上でより簡単であるという長所を具え、公知の入力法の処理時の演算が複雑であるという問題を解決することができる。
【発明を実施するための最良の形態】
【０００６】
図1に示すように、本発明タッチパネル式文字入力法は主に、手書きボード(図示なし)における手指2或いは物体による第一回接触点の位置をスタート位置P1として設定する。本実施例中においては、手指2或いは物体の手書きボード表面における第一回接触点位置はすべてそのスタート位置とみなし、かつ手指2或いは物体が手書きボードにおいて移動時にシステムの予定の時間を超過すれば、手指2或いは物体が手書きボードを離れるまでコントロール信号を継続して発信する。
かつ本実施例中においては、手書きボード表面の任一の位置に限定せず、すべてそのスタート位置P1と見なす。そのため、もし上記スタート位置P1の定義に符合するなら、スタート位置P1から縦方向、横方向、或いは斜め方向の任一の方向に移動する。スタート位置P1を中心とするなら、移動時のその外周角度rは一定の範囲内に存在する。本実施例では15度から60度の間の任一の角度において生じる移動が始めて有効なコントロール動作と判読される。さらに、該手指2或いは物体の該手書きボードにおける移動の位置移動距離Sを探知し、それが予定の距離を超過したと判断した場合には、始めて有効なコントロール動作と判読される。
【０００７】
図2に示すように、移動開始時に、位置移動距離S’値が小さ過ぎ、予定の距離に達しない場合には、無効コントロール動作と判読される。しかし、もしその後の位置移動距離Sが予定の距離を超過するなら、有効なコントロール動作と判読され、システムは後続の識別処理に入る。
次に図3に示すように、本発明タッチパネル式文字入力法は縱方向、横方向或いは斜め方向などの各該異なる移動方向と移動距離401~408を組合せ、比較可能なパラメーター資料集を定義する。その内、各移動方向と移動距離の定義はそれぞれ以下の通りである。移動方向と移動距離401は左向きで、移動方向と移動距離402は右向きである。移動方向と移動距離403は上向きで、移動方向と移動距離404は下向きである。移動方向と移動距離405は北西向きで、移動方向と移動距離406は北東向きである。移動方向と移動距離407は南西向きで、移動方向と移動距離408は南東向きである。さらに、各移動方向と移動距離もまたその他適した角度と方向を自ら定義し使用することができ、上記8種の方向に限定するものではない。
【０００８】
さらに図3、4に示すように、手書き数字”1”を例とするなら、システムが移動時のその移動軌跡501を分析し、かつそれがパラメーター資料集中に保存する移動方向と移動距離404に符合するなら、数字”1”と判読し出力する。
手書き数字”2”を例とするなら、システムが移動時のその移動軌跡502~504を分解し、かつそれがパラメーター資料集中に保存する移動方向と移動距離402、407、402の組合せに符合するなら、数字” 2”と判読し出力する。
手書き英文字”A” を例とするなら、システムが移動時のその移動軌跡520~522を分解し、かつそれがパラメーター資料集中に保存する移動方向と移動距離407、408、402の組合せに符合するなら、英文字”A” と判読し出力する。
手書き英文字”B” を例とするなら、システムが移動時のその移動軌跡523~525を分解する。その内、移動軌跡523がパラメーター資料集中に保存する移動方向と移動距離404に符合し、移動軌跡524がパラメーター資料集中に保存する移動方向と移動距離402、408、407、401の組合せに符合し、かつ移動軌跡525がパラメーター資料集中に保存する移動方向と移動距離402、408、407、401の組合せに符合するなら、英文字”B”を判読し出力するする。その他文字或いは符号の識別もこの方式に基づき類推可能である。
【０００９】
図5に示すように、本発明のコントロールモジュール6は手書きボード3に電気的に接続する座標プロセッサユニット61、内部に比較に用いるパラメーター資料集を有する記憶ユニット62、座標プロセッサユニット61及び記憶ユニット62間に電気的に接続する演算ユニット63、及び演算ユニット63とサーバー4間に電気的に接続する伝送インターフェース64を具える。
該手書きボード3は一般のコンデンサ式、電気抵抗式、電磁式、圧力式、インダクタンス式、弾性表面波(SAW)式、超音波式、光学式タッチパネル裝置である。
該サーバー4は一般の文字入力ソフトをインストールされたコンピュータ、携帯電話或いはPDAなどの電子裝置である。
該コントロールモジュール6の座標プロセッサユニット61の作用は、手指2或いは物体の手書きボード3上における移動軌跡を受信し、それを相互に対応する座標パラメーター501に転換する。
該演算ユニット63の作用は以下の通りである。手書きボード3への第一回接触点の位置をスタート位置P1と設定し、該座標プロセッサユニット61が受信した座標パラメーターを移動方向と移動距離に転換する。次に、無効の移動軌跡をろ過後、該スタート位置P1に有効な移動方向と移動距離を対応させ判断準則とする。さらに、パラメーター資料集中を予め保存した該記憶ユニット62と各移動方向と移動距離を組合せた文字パラメーターを相互に比較する。最後に該動作が対応するコントロール信号601を出力する。かつ該伝送インターフェース64は該演算ユニット63が生じるコントロール信号601を該サーバー4が使用可能な信号に転換し該サーバー4に伝送し使用に供する。
【００１０】
図6は本発明タッチパネル式文字入力法の執行過程を示す。
ステップ701において、先ず物体の手書きボード上における移動軌跡を探知し、第一回接触点該手書きボードにおける第一回接触点の位置をスタート位置P1として設定する。次にステップ702に進み、予定の時間T1を超過しないか否か時間計測を開始する。もし、予定の時間T1内であるなら、ステップ703に進む。ステップ703では物体の手書きボード上における無効の移動軌跡をろ過する。もし予定の時間T1を超過しており、ステップ704で物体が手書きボードにおいて相互に接触しない時間がT2を超過することを探知したなら、一文字の入力が完了したと認定する。
続いてステップ705に進み、該文字の移動軌跡を異なる移動方向と移動距離に分解し、さらにステップ706において、分解後の移動方向と移動距離を組合せる。ステップ708において、パラメーター資料集中に予め保存してある文字パラメーターと相互に比較し、ステップ709において、パラメーター資料集中に予め保存してある文字パラメーターと符合するか否かを判断する。もし符合するなら、ステップ710に進み、ステップ710において、符合する文字を出力する。もし符合しないなら、ステップ711に進み、ステップ711において入力が不正確なため使用者は再度入力する必要があると判断する。もし次の文字入力を行う必要があるなら、ステップ701~711を繰り返す。
【図面の簡単な説明】
【００１１】
【図１】手指の手書きボード表面における第一回接触点位置をスタート位置P1とみなし、移動時にその外周角度rは一定の範囲内にあり、それが生じる移動を有効なコントロール動作と判読する本発明タッチパネル式文字入力法の実施例指示図である。
【図２】位置移動距離S’値が小さ過ぎるため、予定の距離に到達せず、無効と判読されるコントロール動作と、その後の位置移動距離Sが予定の距離を超えたため、有効と判読されるコントロール動作を説明する指示図である。
【図３】各種方向の移動方向と移動距離に沿って定義される比較に用いられるパラメーター資料集を説明する指示図である。
【図４】手書き文字”1”、”2”、”A”、”B”を例とし、その各種移動方向と移動距離に符合する組合せ状態を説明する指示図である。
【図５】本発明のコントロールモジュールを説明する回路ブロックチャートである。
【図６】本発明タッチパネル式文字入力法のステップを説明するフローチャートである。
【符号の説明】
【００１２】
2 手指
3 手書きボード
4 サーバー
401~408 移動方向と移動距離
501~504、520~525      移動軌跡
6 コントロールモジュール
61 座標プロセッサユニット
62 記憶ユニット
63 演算ユニット
64 伝送インターフェース
701~711 ステップ
P1 スタート位置
r 角度
S、S’ 位置移動距離
【図１】
2005322194.tif 000003
【図２】
2005322194.tif 000004
【図３】
2005322194.tif 000005
【図４】
2005322194.tif 000006
【図５】
2005322194.tif 000007
【図６】
2005322194.tif 000008